【事件の表示】
　平成７年特許願第７７３０６号「水栓の取付構造」拒絶査定に対する審判事件［平成８年９月２４日出願公開、特開平８−２４６５２３］について、次のとおり審決する。
【結　論】
　本件審判の請求は、成り立たない。
【理　由】
【１】手続の経緯・本願の発明
　本願は、平成７年３月７日に出願されたものであって、その各請求項に係る発明は、平成１４年８月２８日受付の手続補正書により補正された明細書および図面の記載からみて、その特許請求の範囲の請求項１〜４に記載された以下のとおりのものと認める。
「【請求項１】壁パネルに給水用管継手を貫挿し、該壁パネルの外側で該給水用管継手に給水管または給湯管をエルボにより接続し、該壁パネルの内側に両端部を該壁パネルに固着したコ字状の固定金具を設け、操作軸が突出する水栓本体の筒状部を前記固定金具に貫挿すると共に該水栓本体の一次側の通水筒部を前記給水用管継手に水密状に挿通し、さらに該固定金具および水栓本体を包囲するようにカウンターパネルを壁パネルの前面に固着し、該カウンターパネルに前記筒状部をさらに貫挿させ固定ナットを締付してなることを特徴とする水栓の取付構造。
　【請求項２】〜【請求項４】（記載を省略）」
（以下、請求項１記載の発明を「本願発明」という。）
　
【２】先願明細書記載の発明
　原査定の拒絶の理由において引用された、本願出願の日前の出願であって本願出願後に出願公開された特願平７−３５７３２号（特開平８−２３３１２９号公報参照）の願書に最初に添付した明細書又は図面（以下「先願明細書」という。）には、以下の記載がある。
「【０００４】【課題を解決するための手段】本発明に係る水栓３は、水栓本体１の背面に弁１７が収納される弁収納部１２を形成すると共に弁収納部１２の背面に弁孔１３を形成し、水栓本体１に湯水を導入する導入管２を弁収納部１２に連設し、弁１７による弁孔１３の開放閉塞で水栓本体１と導入管２とを弁孔１３を介して導通不通状態自在に形成した水栓において、導入管２を弁収納部１２の背面から側面へと屈曲させて形成すると共に導入管２の屈曲先端部から接続部２ａを背方に突出させて設けて成ることを特徴とするものである。
　【０００５】【作用】導入管２を弁収納部１２の背面から側面へと屈曲させて形成すると共に導入管２の屈曲先端部から接続部２ａを背方に突出させて設けたので、弁収納部１２よりも前方に位置する導入管２の屈曲先端部に接続部２ａを設けることによって、接続部２ａが弁収納部１２の背方に大きく突出しないようにすることができる。
　【０００６】【実施例】以下本発明を実施例によって詳述する。水栓３の水栓本体１は鋳物等で内部が中空に形成されるものであって、図２に示すようにその前面には外周にネジ部２６を設けた二つのハンドル取付部７０が、また背面には各ハンドル取付部７０と対向し、通孔１５を介してハンドル取付部７０と連通させた弁収納部１２が突設してある。弁収納部１２の背面には弁孔１３が開□させてあると共に弁収納部１２の背面には導水管２が連設してある。導水管２は図１に示すように弁収納部１２の背面から側方へと弁収納部１２の外面に沿うように側方に屈曲させてあり、その屈曲端部から接続部２ａを弁収納部１２の背面よりも背方に突出させてある。」
　「【００１２】図４にはキャリア７が示してある。キャリア７は平板状の前板５の両端部に前板５の背面側に突出する台形の位置決め片６を設けて形成されるものであり、各位置決め片６の先端には外側に突出する固定片６３が設けてあって、固定片６３には上下にネジ孔６６が形成してある。また前板５には二つの水栓取付孔６４を横に並べて形成してあると共に水栓取付孔６４の横にはシャフト取付孔６５が設けてある。
　【００１３】一方、図１に示すように壁パネル等で形成される壁の壁面１１には二本の供給管４と吐水管６７とが取り付けてある。各供給管４は一端が湯源や水源に、他端が壁面１１にそれぞれ接続されるものであり、壁面１１側の端部には取付具６８が設けてある。図５（ｂ）に示すように取付具６８は外周に突出片６９を設けて筒状に形成されるものであり、供給管４にナット７１で取り付けられている。また取付具６８の先端には係止リング７３が着脱自在に接着されている。そして取付具６８の先端を壁面１１に開□させた管取付孔７２に背面側から差し込むと共に突出片６９を管取付孔７２の周縁部に当接し、壁面１１に突出する取付具６８の先端に係止リング７３を嵌め込むと共に係止リング７３と突出片６９とをネジ７４で結合することによって、係止リング７３と突出片６９とで壁面１１を挟持して取付具６８を壁面１１に取り付けることができる。」
　「【００１６】上記水栓３を壁面１１に取り付けるにあたっては次のようにしておこなうことができる。まず水栓本体１にキャリア７を取り付けるが、これは図６に示すように水栓本体１のハンドル取付部７０にスピンドル１６と後側パッキン２４を取り付け、キャリア７の背面側から水栓取付孔６４にハンドル取付部７０を差し込み、前板５の前側に突出するハンドル取付部７０のネジ部２６にフランジ２７を螺合して、水栓本体１の前面とフランジ２７とで水栓取付孔６４の周縁部を挟持することによっておこなうことができる。
　【００１７】……。
　【００１８】次に図７に示すように水栓本体１の導入管２の接続部２ａと排出管１４の先端及びシャフト３６の後側先端に上記ナット９を嵌め込むと共にナット９の内部にスリップ板４４とパッキン４３が嵌め込んで取り付け、この状態で供給管４及び吐出管６７と対向する位置で壁面１１の前側に水栓本体１を配置し、キャリア７の固定片６３を壁面１１に当接させた状態で供給管４の固定ジョイント８の内側に導入管２の接続部２ａをそれぞれ差し込むと共に排出管１４の先端を吐水管６７の一方の端部に設けた固定ジョイント８に差し込み、さらにシャフト３６の先端を吐水管６７の他方の端部に設けた固定ジョイント８に差し込むようにする。尚、図７においては壁面１１が図示省略されている。
　【００１９】このようにキャリア７の固定片６３を壁面１１に当接させた状態で供給管４に導入管２の接続部２ａを差し込み、排出管１４とシャフト３６を吐水管６７にそれぞれ差し込むことによって、水栓本体１の壁面１１からの突出位置を位置決め片６で規定することができる。また固定ジョイント８に導入管２やシャフト３６を差し込むと、固定ジョイント８の内周に設けたＯリング１０を導入管２やシャフト３６の外周に密着させることができ、水密性を高くすることができる。
　【００２０】次にキャリア７の両方の固定片６３を壁面１１に当接させてネジ７７で固定すると共に各ナット９を固定ジョイント８の雄ねじ部７５の前側に螺合する。このように固定ジョイント８にナット９で接続部２ａを固定して供給管４と導入管２を結合することによって水栓本体１の後部を供給管４で支持することができ、水栓本体１の取付強度を大きくすることができる。」
　「【００２３】次に図８に示すように機能パネル７８の表面板８１の前側に化粧カバー９０を取り付ける。化粧カバー９０は図１０に示すように上片９１と下片９２と化粧板９３及び側片９０ａとで背面が開口する断面コ字型に形成され、化粧板９３には二つの挿着口９４と一つ差し込み口９５とが横に並べて形成してある。そして上片９１を上記機能パネル７８の棚部８０の上に載せてシリコン接着剤等で接着すると共に各挿着口９４から水栓本体１のハンドル取付部７０を突出させ、差し込み口９５からシャフト３６を突出させることによって、機能パネル７８に化粧カバー９０を取り付けることができる。
　【００２４】……。
　【００２５】次に化粧板９３の前側において、図１１に示すようにハンドル取付部７０にシートパッキン２８を介して固定具３１を螺着し、固定具３１のフランジ片３０とキャリア７の前板５とで挿着口９４の開口縁部を挟持する。このように固定具３１のフランジ片３０とキャリア７の前板５とで挿着口９４の開口縁部を挟持することによって化粧カバー９０を水栓本体１で支持することができ、化粧カバー９０の取付強度を大きくすることができる。次に固定具３１の筒部２９にハンドル３２を回転自在に嵌着すると共にハンドル３２とスピンドル１６の先端とをネジ３３によって連結させ、ハンドル３２の先端に表示リング３４とキャップ３５を接着することによって水栓３が形成される。
　【００２６】……。
　【００２７】……。そして一方の供給管４を温水供給管４ａ、他方の供給管４を水供給管４ｂとすることによって水栓３で温水と水とを混合して温度調節して吐水口５１から混合水を吐出させることができる。……」
　そして、図１，９には、壁面１１の外側に水供給管４ｂまたは温水供給管４ａを配置し、壁面１１の内側に水栓本体１、キャリア７、化粧カバー９０等を設けること、及び、図４，６等には、キャリア７は平面視コ字状の形状をしていること、がそれぞれ記載されていることが、当業者に明らかな事項である。
　したがって先願明細書には、以下の発明が記載されていると認められる。
「壁パネル等で形成される壁の壁面１１に取付具６８を貫挿し、該壁面１１の外側で該取付具６８に水供給管４ｂまたは温水供給管４ａを接続し、該壁面１１の内側に両端部を該壁面１１に固着したコ字状のキャリア７を設け、スピンドル１６が突出する水栓本体１のハンドル取付部７０を前記キャリア７に貫挿すると共に該水栓本体１の一次側の接続部２ａを前記取付具６８に水密状に挿通し、さらに該キャリア７および水栓本体１を包囲するように化粧カバー９０を壁面１１の前面に固着し、該化粧カバー９０に前記ハンドル取付部７０をさらに貫挿させ固定具３１を締付してなる水栓の取付構造。」（以下、「先願発明」という。）
　
【３】対比
　本願発明と上記先願発明とを対比すると、先願発明の「壁パネル等で形成される壁の壁面１１」又は「壁面１１」、「取付具６８」、「水供給管４ｂ」、「温水供給管４ａ」、「キャリア７」、「スピンドル１６」、「ハンドル取付部７０」、「接続部２ａ」、「化粧カバー９０」、及び「固定具３１」は、本願発明の「壁パネル」、「給水用管継手」、「給水管」、「給湯管」、「固定金具」、「操作軸」、「筒状部」、「通水筒部」、「カウンターパネル」、及び「固定ナット」に相当するから、両者は、
「壁パネルに給水用管継手を貫挿し、該壁パネルの外側で該給水用管継手に給水管または給湯管を接続し、該壁パネルの内側に両端部を該壁パネルに固着したコ字状の固定金具を設け、操作軸が突出する水栓本体の筒状部を前記固定金具に貫挿すると共に該水栓本体の一次側の通水筒部を前記給水用管継手に水密状に挿通し、さらに該固定金具および水栓本体を包囲するようにカウンターパネルを壁パネルの前面に固着し、該カウンターパネルに前記筒状部をさらに貫挿させ固定ナットを締付してなる水栓の取付構造。」
である点で一致し、
　本願発明では、給水用管継手に給水管または給湯管をエルボにより接続しているのに対して、上記先願発明には、エルボにより接続する点が記載されていない点で一応相違している。
　
【４】判断
　給水管または給湯管における垂直管と水平管とをエルボにより接続することは、例えば、特開昭５５−３９５７６号公報、実願平３−３７９３５号（実開平４−１２２７７２号）のマイクロフィルム等にみられるように、本願出願前、慣用手段にすぎない。
　審判請求人は、エルボにより接続することにより、壁パネルの外側を省スペース化することができ室内への出張りを少なくして浴槽や洗場を広くできるという効果を奏する旨主張するが、そのような効果は、上記慣用手段により奏される効果として当然のものにすぎず、何ら格別なものではない。
　エルボにより接続することは、単なる慣用手段の付加にすぎないものであり、本願発明と先願発明とは、実質上同一である。
　
【５】むすび
　以上のとおりであるから、本願の請求項１に係る発明は、先願明細書に記載された発明であり、しかも、本願の発明者が先願の発明者と同一であるとも、また本願出願時において、本願の出願人が先願の出願人と同一であるとも認められないので、本願の請求項１に係る発明は、特許法第２９条の２第１項の規定により特許を受けることができないから、他の請求項に係る発明について検討するまでもなく、本願は、拒絶すべきものである。
　よって、結論のとおり審決する。